(57)【要約】【課題】移動電話機への着信を支障なくユーザに通知する「ハンズフリー装置及び着信通知方法」を提供する。【解決手段】ハンズフリー処理装置１の制御部１２はクレイドル２に装着された移動電話機５０からインタフェース信号を介して着信が通知されたならばタイマをスタートする。そして、タイマのタイムアウトの発生前に、移動電話機５０から着信音声がインタフェース信号を介して送られてきたならば、タイマを停止する。一方、タイマのタイムアウトが発生したならば、音声生成部１３に、所定の着信音を生成させると共に、混合部１５に音声生成部１３が生成した着信音のスピーカ６への出力を行わせる。【選択図】図１
2005354254.tif 000002
【特許請求の範囲】
【請求項１】
接続された移動電話機にハンズフリー通話機能を付加するハンズフリー装置であって、
接続された移動電話機が受信した音声を出力するスピーカと、
接続された移動電話機が送信する音声を入力するマイクロフォンと、
接続された移動電話機の着信を検出する着信検出部と、
接続された移動電話機の着信音の出力を検知する着信音検出部と、
前記着信検出部が前記移動電話機の着信を検出した後の所定の監視期間内に、前記着信音検出部が、前記移動電話機の着信音の出力を検知できなかった場合に、所定の着信音を生成し出力する着信音生成出力部とを有することを特徴とするハンズフリー装置。
【請求項２】
請求項１記載のハンズフリー装置であって、
前記着信音検出部は、前記マイクロフォンから入力する音声に基づいて前記移動電話機の着信音の出力を検知することを特徴とするハンズフリー装置。
【請求項３】
請求項１記載のハンズフリー装置であって、
前記着信音検出部は、前記移動電話機が、当該移動電話機が備える外部機器用入出力インタフェースに出力する音声出力に基づいて前記移動電話機の着信音の出力を検知することを特徴とするハンズフリー装置。
【請求項４】
請求項３記載のハンズフリー装置であって、
前記外部機器用入出力インタフェースを介して前記移動電話機から、当該移動電話機の機種を示す情報を取得し、当該移動電話機の機種に応じた長さの期間を前記監視期間として設定する監視期間設定部を有することを特徴とするハンズフリー装置。
【請求項５】
請求項３記載のハンズフリー装置であって、
前記着信音検出部が、前記監視期間内に、前記移動電話機の着信音の出力を検知した場合に、前記移動電話機が外部機器用入出力インタフェースに出力する音声出力をスピーカから出力する着信音中継出力部を有することを特徴とするハンズフリー装置。
【請求項６】
請求項３記載のハンズフリー装置であって、
接続された移動電話機が備える外部機器用入出力インタフェースを介して前記移動電話機から、当該移動電話機の動作モードが、着信音を当該移動電話機が備える内蔵スピーカから出力しないサイレントモードにあるか否かの情報を取得する移動電話機モード取得部を有し、
前記着信音生成出力部は、前記移動電話機モード取得部が、前記移動電話機の動作モードが、サイレントモードにあることを示す情報を取得した場合に、着信検出部が前記移動電話機の着信を検出した後、前記着信音検出部の前記監視期間内の着信音の出力の検知を待たずに、前記着信音を生成し出力することを特徴とするハンズフリー装置。
【請求項７】
請求項３記載のハンズフリー装置であって、
接続された移動電話機が備える外部機器用入出力インタフェースを介して前記移動電話機から、当該移動電話機の動作モードが、着信音を当該移動電話機が備える内蔵スピーカから出力するリンガーモードにあるか否かの情報を取得する移動電話機モード取得部を有し、
前記着信音生成出力部は、前記移動電話機モード取得部が、前記移動電話機の動作モードがリンガーモードにあることを示す情報を取得した場合には、前記着信音検出部の前記監視期間内の着信音の出力の検知の如何に関わらず、前記着信音の出力を行わないことを特徴とするハンズフリー装置。
【請求項８】
請求項５記載のハンズフリー装置であって、
接続された移動電話機が備える外部機器用入出力インタフェースを介して前記移動電話機から、当該移動電話機の動作モードが、着信音を当該移動電話機が備える内蔵スピーカから出力するリンガーモードにあるか否かの情報を取得する移動電話機モード取得部を有し、
着信音中継出力部は、前記移動電話機モード取得部が、前記移動電話機の動作モードがリンガーモードにあることを示す情報を取得した場合には、前記移動電話機が外部機器用入出力インタフェースに出力する音声出力の、スピーカからの出力を行わないことを特徴とするハンズフリー装置。
【請求項９】
請求項１記載のハンズフリー装置であって、
前記移動電話は近距離無線通信を介して当該ハンズフリー装置に接続されることを特徴とするハンズフリー装置。
【請求項１０】
接続された移動電話機にハンズフリー通話機能を付加するハンズフリー装置であって、
接続された移動電話機が受信した音声を出力するスピーカと、
接続された移動電話機が送信する音声を入力するマイクロフォンと、
前記移動電話機が接続されたときに、当該移動電話機の動作モードを、着信音を当該移動電話機が備える内蔵スピーカから出力するリンガーモードに設定する動作モード設定部とを有することを特徴とするハンズフリー装置。
【請求項１１】
請求項１０記載のハンズフリー装置であって、
前記移動電話機の接続が解除されたときに、前記移動電話機の動作モードが着信音を当該移動電話機が備える内蔵スピーカから出力しないサイレントモードにないことを通知する所定の音声メッセージを前記スピーカから出力する音声メッセージ出力部を有することを特徴とするハンズフリー装置。
【請求項１２】
請求項１０記載のハンズフリー装置であって、
前記移動電話機が接続されたときに、当該移動電話機から、当該移動電話機の動作モードが、着信音を当該移動電話機が備える内蔵スピーカから出力するリンガーモードにあるか、それとも、着信音を当該移動電話機が備える内蔵スピーカから出力しないサイレントモードにあるかの情報を取得する移動電話機モード取得部と、
前記移動電話機モード取得部が取得した情報が、前記移動電話機の動作モードが、サイレントモードにあったことを示している場合に、前記移動電話機の接続が解除されるときに、当該移動電話機の動作モードを、サイレントモードに設定する動作モード回復部とを有し、
前記動作モード設定部は、前記移動電話機モード取得部が前記情報を取得した後、少なくとも、当該取得した情報が前記移動電話機の動作モードがサイレントモードにあることを示している場合に、当該移動電話機の動作モードを、リンガーモードに設定することを特徴とするハンズフリー装置。
【請求項１３】
請求項１０記載のハンズフリー装置であって、
前記移動電話は近距離無線通信を介して当該ハンズフリー装置に接続されることを特徴とするハンズフリー装置。
【請求項１４】
接続された移動電話機が受信した音声を出力するスピーカと、接続された移動電話機が送信する音声を入力するマイクロフォンとを備え、接続された移動電話機にハンズフリー通話機能を付加するハンズフリー装置において接続された移動電話機の着信をユーザに通知する着信通知方法であって、
接続された移動電話機の着信を検出する第１のステップと、
前記移動電話機の着信を検出した後の所定の監視期間内の、接続された移動電話機の着信音の出力を検知する第２のステップと、
前記監視期間内に接続された移動電話機の着信音の出力を検知できなかった場合に、ハンズフリー装置において所定の出力を行う第３のステップとを有することを特徴とする着信通知方法。
【請求項１５】
請求項１４記載の着信通知方法であって、
前記第３のステップは、ハンズフリー装置において所定の着信音の生成と出力を行うステップであることを特徴とする特徴とする着信通知方法。
【請求項１６】
請求項１５記載の着信通知方法であって、
前記第１のステップは、ハンズフリー装置において、前記移動電話機が備える外部機器用入出力インタフェースに出力する音声出力に基づいて前記移動電話機の着信音の出力を検知するステップであることを特徴とする着信通知方法。
【請求項１７】
請求項１６記載の着信通知方法であって、
前記外部機器用入出力インタフェースを介して前記移動電話機から、当該移動電話機の機種を示す情報を取得し、当該移動電話機の機種に応じた長さの期間を前記監視期間として設定する第４のステップを有することを特徴とする着信通知方法。
【請求項１８】
請求項１６記載の着信通知方法であって、
接続された移動電話機が備える外部機器用入出力インタフェースを介して前記移動電話機から、当該移動電話機の動作モードが、着信音を当該移動電話機が備える内蔵スピーカから出力しないサイレントモードにあるか否かの情報を取得する第４のステップを有し、
前記第３のステップにおいて、前記移動電話機の動作モードがサイレントモードにあることを示す情報を第４のステップで取得できた場合に、前記監視期間内の着信音の出力の検知を待たずに、前記着信音を生成し出力することを特徴とする着信音通知方法。
【請求項１９】
接続された移動電話機が受信した音声を出力するスピーカと、接続された移動電話機が送信する音声を入力するマイクロフォンとを備え、接続された移動電話機にハンズフリー通話機能を付加するハンズフリー装置において接続された移動電話機の着信をユーザに通知する着信通知方法であって、
前記移動電話機の接続を検出する第１のステップと、
前記移動電話機の接続が検出された場合に、当該移動電話機の動作モードを、着信音を当該移動電話機が備える内蔵スピーカから出力するリンガーモードに設定する第２のステップを有することを特徴とする着信通知方法。
【請求項２０】
請求項１９記載の着信通知方法であって、
前記移動電話機が接続されたときに、当該移動電話機から、当該移動電話機の動作モードが、着信音を当該移動電話機が備える内蔵スピーカから出力するリンガーモードにあるか、それとも、当該移動電話機が着信音を当該移動電話機が備える内蔵スピーカから出力しないサイレントモードにあるかの情報を取得する第３のステップと、
前記第３のステップにおいて取得した情報が、当該移動電話機がサイレントモードにあったことを示している場合に、前記移動電話機の接続が解除されるときに、当該移動電話機の動作モードを、サイレントモードに設定する第４のステップとを有し、
前記第２のステップを前記第３のステップの後に行い、かつ、前記第２のステップにおいて、少なくとも、前記第３のステップで取得した情報が前記移動電話機の動作モードがサイレントモードにあることを示している場合に、当該移動電話機の動作モードを、リンガーモードに設定することを着信通知方法。
【発明の詳細な説明】
【技術分野】
【０００１】
本発明は、携帯電話機等として知られる携帯型の移動電話機に対して、ハンズフリー通話機能を付加するハンズフリー装置において、移動電話機の着信をユーザに通知する技術に関するものである。
【背景技術】
【０００２】
携帯型の移動電話機に対して、ハンズフリー通話機能を付加するハンズフリー装置としては、自動車に搭載されたハンズフリー装置が知られている（たとえば、特許文献１）。このようなハンズフリー装置では、移動電話機を用いて通話相手と送受信する通話音声を入出力するマイクとスピーカを備えることにより、ユーザが移動電話機を手に持つことなく通話相手と通話することを可能とする。
【０００３】
一方、携帯型の移動電話機に関する着信通知の技術としては、移動電話機に、着信時に着信音を移動電話機の内蔵スピーカから出力する鳴動モードと、着信時に着信音を移動電話機の内蔵スピーカから出力せずに移動電話機自身を振動させることによりユーザに着信を通知する振動モード（マナーモードやサイレントモードとも呼ばれることがある）とを設ける技術が知られている。また、移動電話機において、ハンズフリー装置のクレイドルに当該移動電話機が装着されたときに、強制的に振動モードを解除して、鳴動モードを設定する技術が知られている（たとえば、特許文献２）。
【特許文献１】特開2002−18761号公報
【特許文献２】特開2001−285412号公報
【発明の開示】
【発明が解決しようとする課題】
【０００４】
前述のように着信時に着信音を移動電話機の内蔵スピーカから出力せずに移動電話機自身を振動させることによりユーザに着信を通知する振動モードを備えた移動電話機によれば、移動電話機を振動モードに設定したままの状態で身体から離して、ハンズフリー装置に装着すると、振動をユーザに伝達できなくなるために、着信をユーザに通知できなくなってしまうという問題がある。
【０００５】
一方、前記特許文献２の技術を適用した移動電話機では、移動電話機において、自身がハンズフリー装置に装着されたときに振動モードを解除して鳴動モードを設定するので、支障なく着信音によってユーザに着信を通知することができる。しかし、この技術は、クレイドル装着の有無に応じたモード制御機能を備えていない既存の移動電話機には適用することができない。
【０００６】
そこで、本発明は、装着された移動電話機が着信時に着信音を移動電話機の内蔵スピーカから出力しないモードに設定されている場合であっても、当該移動電話機への着信を支障なくユーザに通知することができるハンズフリー装置を提供することを課題とする。
【課題を解決するための手段】
【０００７】
前記課題達成のために、本発明は、接続された移動電話機が受信した音声を出力するスピーカと、
接続された移動電話機が送信する音声を入力するマイクロフォンと、接続された移動電話機の着信を検出する着信検出部と、接続された移動電話機の着信音の出力を検知する着信音検出部と、前記着信検出部が前記移動電話機の着信を検出した後の所定の監視期間内に、前記着信音検出部が、前記移動電話機の着信音の出力を検知できなかった場合に、所定の着信音を生成し出力する着信音生成出力部とを備えたものである。
【０００８】
ここで、前記着信音検出部は、たとえば、前記マイクロフォンから入力する音声に基づいて前記移動電話機の着信音の出力を検知するものであってもよい。または、前記着信音検出部は、たとえば、前記移動電話機が、当該移動電話機が備える外部機器用入出力インタフェースに出力する音声出力に基づいて前記移動電話機の着信音の出力を検知するものであってもよい。
【０００９】
このようなハンズフリー装置によれば、移動電話機の着信時に、直接、移動電話機の着信音の出力から移動電話機が移動電話機に内蔵されたスピーカから着信音を出力しないモードにあるかどうかを判定して、着信音を出力しないモードにあるときにはハンズフリー装置において着信音を生成して出力する。
【００１０】
したがって、移動電話機のクレイドル装着の有無に応じたモード制御機能の有無によらずに、確実にユーザに移動電話機の着信を通知することができる。
ここで、以上のようなハンズフリー装置には、さらに、前記外部機器用入出力インタフェースを介して前記移動電話機から、当該移動電話機の機種を示す情報を取得し、当該移動電話機の機種に応じた長さの期間を前記監視期間として設定する監視期間設定部を備えるようにしてもよい。
【００１１】
このようにすることにより、機種毎の移動電話機の着信から着信音出力までの期間に応じて監視期間を設定することができる。したがって、着信から着信音出力までの期間が長い移動電話機についても確実にその着信音出力の有無のモードを検知することができると共に、着信から着信音出力までの期間が短い移動電話機については、着信後、すみやかに、着信音をハンズフリー装置から出力することができるようになる。
【００１２】
また、以上のハンズフリー装置には、さらに、前記着信音検出部が、前記監視期間内に、前記移動電話機の着信音の出力を検知した場合に、前記移動電話機が外部機器用入出力インタフェースに出力する音声出力をスピーカから出力する着信音中継出力部を備えるようにしてもよい。
【００１３】
このようにすることにより、移動電話機が移動電話機の内蔵スピーカから着信音を出力しないにもかかわらず、外部機器用入出力インタフェースから着信音を出力するような移動電話機である場合にも、移動電話機が移動電話機の内蔵スピーカから着信音を出力しないモードにあるときに、ハンズフリー装置において、移動電話機から外部機器用入出力インタフェースに出力された着信音を用いて着信をユーザに通知することができるようになる。
【００１４】
また、この場合には、さらに、ハンズフリー装置に、接続された移動電話機が備える外部機器用入出力インタフェースを介して前記移動電話機から、当該移動電話機の動作モードが、着信音を当該移動電話機が備える内蔵スピーカから出力するリンガーモードにあるか否かの情報を取得する移動電話機モード取得部を設け、着信音中継出力部において、前記移動電話機モード取得部が、前記移動電話機の動作モードがリンガーモードにあることを示す情報を取得した場合には、前記移動電話機が外部機器用入出力インタフェースに出力する音声出力の、スピーカからの出力を行わないようにすれば、このような情報をハンズフリー装置が取得可能な移動電話機については、移動電話機が移動電話機の内蔵スピーカから着信音を出力するときに、ハンズフリー装置からも着信音を出力してしまうことを防ぐことができる。
【００１５】
また、これらのハンズフリー装置に、さらに、接続された移動電話機が備える外部機器用入出力インタフェースを介して前記移動電話機から、当該移動電話機の動作モードが、着信音を当該移動電話機が備える内蔵スピーカから出力しないサイレントモードにあるか否かの情報を取得する移動電話機モード取得部を設け、前記着信音生成出力部において、前記移動電話機モード取得部が、前記移動電話機の動作モードが、サイレントモードにあることを示す情報を取得した場合に、着信検出部が前記移動電話機の着信を検出した後、前記着信音検出部の前記監視期間内の着信音の出力の検知を待たずに、前記着信音を生成し出力するようにしてもよい。
【００１６】
このようにすることにより、このような情報をハンズフリー装置が取得可能な移動電話機については、着信音を当該移動電話機が備える内蔵スピーカから出力しないモードにある移動電話機に着信したときに、着信後、直ちにハンズフリー装置から着信音を出力することができるようになる。
【００１７】
または、以上のハンズフリー装置に、さらに、接続された移動電話機が備える外部機器用入出力インタフェースを介して前記移動電話機から、当該移動電話機の動作モードが、着信音を当該移動電話機が備える内蔵スピーカから出力するリンガーモードにあるか否かの情報を取得する移動電話機モード取得部を設け、前記着信音生成出力部において、前記移動電話機モード取得部が、前記移動電話機の動作モードがリンガーモードにあることを示す情報を取得した場合には、前記着信音検出部の前記監視期間内の着信音の出力の検知の如何に関わらず、前記着信音の出力を行わないようにすることも好ましい。
【００１８】
また、前記課題達成のために、本発明は、接続された移動電話機にハンズフリー通話機能を付加するハンズフリー装置に、接続された移動電話機が受信した音声を出力するスピーカと、接続された移動電話機が送信する音声を入力するマイクロフォンと、前記移動電話機が接続されたときに、当該移動電話機の動作モードを、着信音を当該移動電話機が備える内蔵スピーカから出力するリンガーモードに設定する動作モード設定部とを備えたものである。
【００１９】
このようなハンズフリー装置によれば、ハンズフリー装置から動作モードを設定可能な移動電話機については、移動電話機が接続されたときに、移動電話機を着信音を当該移動電話機自身が備える内蔵スピーカから出力するリンガーモードに設定することができる。したがって、ハンズフリー装置への接続前に、移動電話機の動作モードが着信音を内蔵スピーカから出力しないサイレントモードに設定されていても、ハンズフリー装置に接続されている期間中は、移動電話機の着信を、当該移動電話機自身に着信音を移動電話機に内蔵スピーカから出力させることによりユーザに通知することができる。
【００２０】
ここで、このハンズフリー装置には、さらに、前記移動電話機の接続が解除されたときに、前記移動電話機の動作モードが着信音を当該移動電話機が備える内蔵スピーカから出力しないサイレントモードにないことを通知する所定の音声メッセージを前記スピーカから出力する音声メッセージ出力部を備えるようにしてもよい。このようにすることにより、ハンズフリー装置接続前に移動電話機の動作モードが着信音を内蔵スピーカから出力しないサイレントモードにあった場合に、ハンズフリー装置から移動電話機を取り外した後に、ユーザが移動電話機を元のサイレントモードに戻すことを忘れてしまうことを抑制することができる。
【００２１】
または、このハンズフリー装置に、前記移動電話機が接続されたときに、当該移動電話機から、当該移動電話機の動作モードが、着信音を当該移動電話機が備える内蔵スピーカから出力するリンガーモードにあるか、それとも、着信音を当該移動電話機が備える内蔵スピーカから出力しないサイレントモードにあるかの情報を取得する移動電話機モード取得部と、前記移動電話機モード取得部が取得した情報が、前記移動電話機の動作モードが、サイレントモードにあったことを示している場合に、前記移動電話機の接続が解除されるときに、当該移動電話機の動作モードを、サイレントモードに設定する動作モード回復部とを設け、前記動作モード設定部において、前記移動電話機モード取得部が前記情報を取得した後、少なくとも、当該取得した情報が前記移動電話機の動作モードがサイレントモードにあることを示している場合に、当該移動電話機の動作モードを、リンガーモードに設定するようにしてもよい。
【００２２】
このようにすることにより、このような情報をハンズフリー装置から取得可能な移動電話機については、移動電話機がハンズフリー装置に接続されている期間中は、移動電話機を着信音を当該移動電話機が備える内蔵スピーカから出力するリンガーモードに設定しつつ、ハンズフリー装置に対する移動電話機の接続が解除されるときには、接続前の元の動作モードに移動電話機の動作モードを復帰させることができる。
【００２３】
なお、以上の各ハンズフリー装置は、有線通信を介して移動電話機と接続するものであっても、近距離無線通信を介して前記移動電話機と接続するものであってもよい。
【発明の効果】
【００２４】
以上のように、本発明によれば、装着された移動電話機が着信時に着信音を移動電話機の内蔵スピーカから出力しないモードに設定されている場合であっても、当該移動電話機への着信を支障なくユーザに通知することができるハンズフリー装置を提供することができる。
【発明を実施するための最良の形態】
【００２５】
以下、本発明の実施形態について説明する。
まず、第１の実施形態について説明する。
図１に、本第１実施形態に係るハンズフリー装置の構成を示す。
図示するようにハンズフリー装置は、ハンズフリー処理装置１、携帯型の移動電話機５０を保持するクレイドル２、入力装置３、表示装置４、マイクロフォン５、スピーカ６とを備えている。
また、ハンズフリー処理装置１は、移動電話機インタフェース１１、制御部１２、音声生成部１３、音声処理部１４、混合部１５、着信音検出部１６を有している。そして、音声処理部１４は、エコーキャンセラ１４１と、出力音声調整部１４２を備えている。
ここで、図２に、移動電話機５０とハンズフリー処理装置１との間の信号インタフェースの例を示す。
図示するように、移動電話機５０のハンズフリー処理装置１との間で入出力する信号としては、各種グランド信号の他、移動電話機５０からハンズフリー処理装置１へ受信通話音声を伝送するための受信音声信号（端子番号１０）、ハンズフリー処理装置１から移動電話機５０へ送信音声信号を伝送するための送信音声信号（端子番号２）、移動電話機５０からハンズフリー処理装置１へコマンドその他の制御データを伝送するための下りシリアル信号（端子番号７）、ハンズフリー処理装置１から移動電話機５０へコマンドその他の制御データを伝送するための伝送するための上りシリアル信号（端子番号６）、ハンズフリー処理装置１から移動電話機５０の操作部の有効／無効を制御するための操作部制御信号（端子番号１２、１３）、ハンズフリー処理装置１から移動電話機５０へハンズフリー処理装置１の接続の有無を通知するためのユニット有無（端子番号１４）、移動電話機５０からハンズフリー処理装置１の電源を制御するためのユニット電源制御信号（端子番号１５）などが設けられている。なお、移動電話機５０において音声通信に代えてデータ通信を行う場合には、端子番号２、１０の信号線は、受信音声信号と送信音声信号の送受に代えて、データ信号の送受に用いられる。そして、この場合に、端子番号４、５の信号線は移動電話機５０とハンズフリー処理装置１間でデータ信号を送受するための同期信号の伝送に用いられる。
【００２６】
ここで、以上の各種信号は、クレイドル２に設けられたコネクタと、移動電話機５０に設けられているコネクタを介して、移動電話機５０と移動電話機インタフェース１１との間で入出力される。すなわち、移動電話機５０のコネクタは、移動電話機５０がクレイドル２に装着されるとクレイドル２に設けられたコネクタと接続するように構成されている。
【００２７】
図１に戻り、ハンズフリー装置のクレイドル２に装着された移動電話機５０の音声通話中、移動電話機５０は、通話相手から受信した音声信号を、受信音声信号として移動電話機インタフェース１１に出力する。そして、移動電話機インタフェース１１は、受信した受信音声信号を、音声処理部１４の出力音声調整部１４２に送る。また、出力音声調整部１４２は、入力した受信音声信号に対して、音量調整やラウドネス補償処理を施し、混合部１５を介してスピーカ６から出力する。ここで、混合部１５は、出力音声調整部１４２から出力される音声と音声生成部１３が生成した音声を、制御部１２から指示された混合比率でミックスしてスピーカ６から出力する。また、混合部１５は、移動電話機５０の音声通話中は、出力音声調整部１４２から出力される音声のみを混合比率１００％として出力する。
【００２８】
一方、ハンズフリー装置のクレイドル２に装着された移動電話機５０の音声通話中、マイクロフォン５から入力した音声信号は、音声処理部１４のエコーキャンセラ１４１において、スピーカ６からマイクロフォン５への回り込んだ音声成分を除去するエコーキャンセル処理が施された後、移動電話機インタフェース１１を介して送信音声信号として移動電話機５０に送られる。そして移動電話機５０から通話相手に送信される。
【００２９】
次に、制御部１２は、移動電話機インタフェース１１を介して移動電話機５０との間で上りシリアル信号、下りシリアル信号を用いて、各種コマンドや制御データの送受を行う。
以下、このようなハンズフリー処理装置１における移動電話機５０の着信時の着信音の制御動作について説明する。
図３に、制御部１２が行う着信音制御処理の手順を示す。
図示するように、この処理では、移動電話機５０の着信を待つ（ステップ３０２）。この着信の有無は、移動電話機５０が着信時に出力する下りシリアル信号「着信表示（オン）」に基づいて判定する。
そして、移動電話機５０の着信が発生したならば、タイマをスタートする（ステップ３０４）。ここで、このタイマのタイムアウト時間は、たとえば５秒である。そして、移動電話機５０からの下りシリアル信号「トーン種別（着信音）」の受信と（ステップ３０６）、着信音検出部１６の受信音声の検出と（ステップ３０８）、タイマのタイムアウト（ステップ３１０）の発生を監視する。
【００３０】
ここで、下りシリアル信号「トーン種別（着信音）」は、移動電話機５０が所定の着信音（１６Hz変調の２０００Ｈｚ音の２秒間隔の１秒継続）の音声信号を受信音声信号として出力する前に、移動電話機５０より出力される。また、移動電話機５０は、着信時に着信音を移動電話機５０の内蔵スピーカから出力する鳴動モードと、着信時に着信音を移動電話機５０の内蔵スピーカから出力せずに移動電話機５０自身を振動させることにより着信をユーザに通知する振動モードを備えている。そして、本実施形態においてハンズフリー装置が対象とする移動電話機５０は、振動モードにおいて、自身に備えた内蔵スピーカから着信音を出力しない場合にも、その着信音を受信音声信号として出力する移動電話機５０と、振動モードにおいて、自身に備えた内蔵スピーカから着信音を出力しない場合には、その着信音を受信音声信号として出力しない移動電話機５０との双方を含む。
【００３１】
そして、着信音検出部１６は、受信音声信号の振幅に応じて、受信音声の検出を行う。移動電話機５０から入力する受信音声信号電圧の最大振幅は100mv〜1.5Vであるので、受信音声信号の検出は、たとえば、50mV以上の受信音声信号電圧の振幅を検出したときに、着信音声信号有りと検出することにより行うことができる。
【００３２】
さて、制御部１２は、タイマのタイムアウトの発生前（ステップ３１０）に、移動電話機５０からの下りシリアル信号「トーン種別（着信音）」の受信か（ステップ３０６）、着信音検出部１６の受信音声の検出（ステップ３０８）が発生したならば、タイマを停止し（ステップ３２０）、移動電話機５０からの下りシリアル信号「着信表示（オフ）」の受信か（ステップ３２２）、ユーザの入力装置３に対するオフフック操作の発生（ステップ３２４）を待ち、いずれかが発生したならばステップ３０２に戻る。ここで、移動電話機５０は、着信中状態から通話中状態などの他の状態に遷移するときに、下りシリアル信号「着信表示（オフ）」を送信する。また、ユーザの入力装置３に対するオンフック操作は、ユーザが着信に応じて通話を始める場合に行う操作である。
【００３３】
一方、移動電話機５０からの下りシリアル信号「トーン種別（着信音）」の受信か（ステップ３０６）、着信音検出部１６の受信音声の検出（ステップ３０８）が発生する前に、タイマのタイムアウトが発生したならば、音声生成部１３に、所定の着信音を生成させると共に、混合部１５に音声生成部１３が生成した着信音のスピーカ６への出力を行わせる（ステップ３１２）。
【００３４】
そして、移動電話機５０からの下りシリアル信号「着信表示（オフ）」の受信か（ステップ３２０）、ユーザの入力装置３に対するオフフック操作の発生（ステップ３２２）を待ち、いずれかが発生したならば、音声生成部１３の着信音を生成と混合部１５の着信音の出力とを停止し（ステップ３１８）、ステップ３０２に戻る。
【００３５】
以上、本実施形態における着信音制御処理について説明した。
ここで、このような着信音制御処理を行うハンズフリー処理装置１の動作例を図４に示す。
図４aは、ハンズフリー装置に装着された移動電話機５０が鳴動モードに設定されている場合の動作例であり、図４ｂはハンズフリー装置に装着された移動電話機５０が振動モードに設定されている場合のものである。
まず、ハンズフリー装置に装着された移動電話機５０が鳴動モードに設定されている場合について説明する。
この場合、移動電話網から移動電話機５０に着信（SETUP）４３１があると、移動電話機５０は呼出中（ALERT）４３２を網に応答し、ハンズフリー処理装置１に下りシリアル信号「着信表示（オン）」４１１を出力する。そして、この下りシリアル信号「着信表示（オン）」４１１を受信したハンズフリー処理装置１の制御部１２はタイマをスタートする４０１。
【００３６】
一方、移動電話機５０は、その後、下りシリアル信号「発番号通知」４１２+「ダイヤル」４１３+「ダイヤル完了」４１４や下りシリアル信号「着番号通知」４１５+「ダイヤル」４１６+「ダイヤル完了」４１７により、呼の発信元や着信先の番号をハンズフリー処理装置１に通知した後、ハンズフリー処理装置１に下りシリアル信号「トーン種別（着信音）」４１８を出力し、受信音声信号として着信音を出力する４１９。また、移動電話機５０の内蔵スピーカより着信音を出力し、ユーザに着信を通知する。このとき、ハンズフリー処理装置１では、下りシリアル信号「トーン種別（着信音）」４１８や受信音声信号としての着信音４１９の検出に従って、タイマが停止される４０２。したがって、ハンズフリー処理装置１は、着信音の生成出力を行わない。なお、ハンズフリー処理装置１では、移動電話機５０から着信音声として入力する着信音を、音声処理部１４を介してハンズフリー装置のスピーカ６から出力するようにする。ただし、ハンズフリー装置に装着される移動電話機５０が、振動モードにおいて、自身に備えた内蔵スピーカから着信音を出力しない場合には、必ず、その着信音を受信音声信号として出力しない移動電話機５０であることが保証される場合には、移動電話機５０から着信音声として入力する着信音は、ハンズフリー装置のスピーカ６から出力しないようにしてもよい。
【００３７】
その後、ユーザが、ハンズフリー装置の入力装置３に対してオフフック操作４０３を行うと、ハンズフリー処理装置１の制御部１２は、上りシリアル信号「フックスイッチ（開始）」４２０を移動電話機５０に出力し、オフフック操作の発生を通知する。この通知を受けた移動電話機５０は、接続（CONN）４３３を網に通知する。また、移動電話機５０は、ハンズフリー処理装置１に下りシリアル信号「トーン種別（トーンオフ）」４２１を出力した上で、受信音声信号としての着信音のハンズフリー処理装置１への出力を停止する４２２。
【００３８】
そして、移動電話機５０は、網から接続応答（CONN ACK）４３４を受信すると、通話中状態に遷移し、ハンズフリー処理装置１に下りシリアル信号「着信中表示（オフ）」４２３と下りシリアル信号「通話中表示（オン）」４２４を出力する。
以降、通話中状態において、前述のようにハンズフリー装置のマイクロフォン５から入力した音声が移動電話機５０に送られて移動電話機５０によって網に送信され、移動電話機５０が網から受信した音声がハンズフリー処理装置１に送られてハンズフリー装置のスピーカ６から出力される４０４、４２５、４３５。
【００３９】
その後、ユーザが、ハンズフリー装置の入力装置３に対してオンフック操作を行った場合には４０５、ハンズフリー処理装置１の制御部１２は、上りシリアル信号「フックスイッチ（終了）」４２６を移動電話機５０に出力し、オンフック操作の発生を通知する。この通知を受けた移動電話機５０は、切断（DISK）４３６を網に通知する。そして、その応答として網から解放(REL）４３７を受信したならば、ハンズフリー処理装置１に下りシリアル信号「通話中表示（オフ）」４２７を出力すると共に、解放完了（REL COMP)４３８を網に応答し、今回の呼の処理を終了する。
【００４０】
次に、ハンズフリー装置に装着された移動電話機５０が振動モードに設定されている場合について説明する。
この場合、移動電話網から移動電話機５０に着信（SETUP）４８１があると、移動電話機５０は呼出中（ALERT）４８２を網に応答し、ハンズフリー処理装置１に下りシリアル信号「着信表示（オン）」４６１を出力する。そして、この下りシリアル信号「着信表示（オン）」４６１を受信したハンズフリー処理装置１の制御部１２はタイマをスタートする４５１。
【００４１】
一方、移動電話機５０は、その後、下りシリアル信号「発番号通知」４６２+「ダイヤル」４６３+「ダイヤル完了」４６４や下りシリアル信号「着番号通知」４６５+「ダイヤル」４６６+「ダイヤル完了」４６７により、呼の発信元や着信先の番号をハンズフリー処理装置１に通知する。
【００４２】
この場合、この後、移動電話機５０は、ハンズフリー処理装置１に下りシリアル信号「トーン種別（着信音）」を出力せず、受信音声信号として着信音を出力しない。したがって、ハンズフリー処理装置１においてタイムアウトが発生し４５２、ハンズフリー処理装置１における着信音の生成とスピーカ６からの着信音の出力４５３が行われ、ユーザに着信が通知される。
【００４３】
その後、図４aの場合と同様に、ユーザが、ハンズフリー装置の入力装置３に対してオフフック操作４５４を行うと、着信音の生成と出力が停止される。そして、前述のように通話中状態に遷移し４６８-４７０、４８３-４８４、ハンズフリー装置のマイクロフォン５から入力した音声が移動電話機５０に送られて移動電話機５０によって網に送信され、移動電話機５０が網から受信した音声がハンズフリー処理装置１に送られてハンズフリー装置のスピーカ６から出力される４５６、４７１、４８５。
【００４４】
また、その後、通話中状態において、ユーザが、ハンズフリー装置の入力装置３に対してオンフック操作を行った場合にも、図４ａの場合と同様に呼の切断と解放が行われる。
また、もし、通話中状態において、移動電話機５０が網から切断（DISK）４８６を受信した場合（通話相手側でオンフック操作を行った場合）には、移動電話機５０は、その後のユーザのハンズフリー装置の入力装置３に対するオンフック操作４５７に応答して行われるハンズフリー処理装置１の制御部１２からの上りシリアル信号「フックスイッチ（終了）」４７２の受信を待って、網に解放(REL）４８７を送信し、網からの解放完了（REL COMP)４８８の応答を待って、ハンズフリー処理装置１に下りシリアル信号「通話中表示（オフ）」４７３を出力し、今回の呼の処理を終了する。
【００４５】
以上、本発明の第１実施形態について説明した。
このように、本第１実施形態によれば、移動電話機５０の着信音の出力から直接、移動電話機５０が振動モードに設定されているかどうかを判定して、振動モードにあるときには、移動電話機５０の着信時にハンズフリー処理装置１において着信音を生成して出力する。したがって、確実にユーザに移動電話機５０の着信を通知することができる。
【００４６】
以下、本発明の第２の実施形態について説明する。
本第２実施形態では、ハンズフリー装置が対象とする移動電話機５０は、下りシリアル信号によって自身の鳴動モード／振動モードの設定状態をハンズフリー処理装置１に通知する機能を備えた移動電話機５０と、そのような通知を行う機能を備えていない移動電話機５０を含む。また、下りシリアル信号によって振動モード時に受信音声信号として着信音を出力を行うかどうかをハンズフリー処理装置１に通知する機能を備えた移動電話機５０と、そのような通知を行う機能を備えていない移動電話機５０を含む。また、下りシリアル信号によって自身の機種の種別（メーカ、型番など）をハンズフリー処理装置１に通知する機能を備えた移動電話機５０と、そのような通知を行う機能を備えていない移動電話機５０を含む。
【００４７】
そして、本第２実施形態に係るハンズフリー処理装置１の制御部１２は、クレイドル２に移動電話機５０が装着されると、上りシリアル信号によって、移動電話機５０の鳴動モード／振動モードの設定の情報と、移動電話機５０が振動モード時に受信音声信号として着信音を出力を行うかどうかの情報と、移動電話機５０の種別の情報との問い合わせを行い、下りシリアル信号によって移動電話機５０から通知された情報を保持する。ただし、前述のように移動電話機５０によっては、これらの情報の一部または全部の、ハンズフリー処理装置１への通知を行わない。なお、クレイドル２への移動電話機５０の装着は、クレイドル２に移動電話機５０の装着／抜去に応じてオン／オフするメカニカルなスイッチを設けることにより検出するようにすることもできるし、前述したユニット電源制御信号その他の信号の値より検出したりすることもできる。
【００４８】
そして、本第２実施形態に係るハンズフリー処理装置１の制御部１２は、前記第１実施形態における着信音制御処理（図３参照）に代えて、図5に示す着信音制御処理を行う。
図示するように、本第２実施形態に係る着信音制御処理では、移動電話機５０の着信を待つ（ステップ５０２）。そして、移動電話機５０の着信が発生したならば、移動電話機５０が鳴動モードであるかどうかを調べ（ステップ５０４）、鳴動モードであれば、移動電話機５０からの下りシリアル信号「着信表示（オフ）」の受信か（ステップ５３０）、ユーザの入力装置３に対するオフフック操作の発生（ステップ５３２）を待ち、いずれかが発生したならばステップ５０２に戻る。
【００４９】
一方、移動電話機５０が鳴動モードでなければ（ステップ５０４）、移動電話機５０が振動モードであるかどうかを調べ（ステップ５０６）、振動モードであれば、音声生成部１３に、所定の着信音を生成させると共に、混合部１５に音声生成部１３が生成した着信音のスピーカ６への出力を行わせる（ステップ５２０）。そして、移動電話機５０からの下りシリアル信号「着信表示（オフ）」の受信か（ステップ５２２）、ユーザの入力装置３に対するオフフック操作の発生（ステップ５２４）を待ち、いずれかが発生したならば、音声生成部１３の着信音を生成と混合部１５の着信音の出力とを停止し（ステップ５２６）、ステップ５０２に戻る。
【００５０】
一方、移動電話機５０が鳴動モードでもなく振動モードでもない場合（ステップ５０４、５０６）、すなわち移動電話機５０から鳴動モード／振動モードの設定状態の通知を受けることができなかった場合には、移動電話機５０が振動モード時に受信音声信号として着信音を出力しない機器であるかどうかを調べる（ステップ５０８）、そして、移動電話機５０が振動モード時に受信音声信号として着信音を出力しない機器でない場合、すなわち、移動電話機５０が振動モード時に受信音声信号として着信音を出力する機器であるか、移動電話機５０が振動モード時に受信音声信号として着信音を出力するか否かの通知を受けることができなかった場合には、音声生成部１３に、所定の着信音を生成させると共に、混合部１５に音声生成部１３が生成した着信音のスピーカ６への出力を行わせる（ステップ５２０）。このとき、制御部１２は、混合部１５を、受信音声信号のスピーカ６からの出力は行わないように制御する。そして、移動電話機５０からの下りシリアル信号「着信表示（オフ）」の受信か（ステップ５２２）、ユーザの入力装置３に対するオフフック操作の発生（ステップ５２４）を待ち、いずれかが発生したならば、音声生成部１３の着信音を生成と混合部１５の着信音の出力とを停止し（ステップ５２６）、ステップ５０２に戻る。
【００５１】
次に、ステップ５０８において、移動電話機５０が振動モード時に受信音声信号として着信音を出力しない機器であると判定された場合には、移動電話機５０の機種の種別に応じたタイムアウト時間を設定する（ステップ５１０）。ここで、制御部１２は、予め機種の種別と、その種別の機種である移動電話機５０が振動モードに設定されているときに下りシリアル信号「着信表示（オン）」を出力してから受信音声信号として着信音を出力し始めるまでの最大時間との対応が記述されたテーブルを記憶している。そして、ここでは、タイムアウト時間としては、移動電話機５０の機種の種別に対応してテーブルに記述されている最大時間を設定する。ただし、移動電話機５０から機種の種別の通知を受けることができなかった場合には、タイムアウト時間として固定値たとえば５秒を設定する。
【００５２】
また、次に、タイマをスタートし（ステップ５１２）、移動電話機５０からの下りシリアル信号「トーン種別（着信音）」の受信と（ステップ５１４）、着信音検出部１６の受信音声の検出と（ステップ５１６）、タイマのタイムアウト（ステップ５１８）の発生を監視する。そして、制御部１２は、タイマのタイムアウトの発生前（ステップ５１８）に、移動電話機５０からの下りシリアル信号「トーン種別（着信音）」の受信か（ステップ５１２）、着信音検出部１６の受信音声の検出（ステップ５１４）が発生したならば、タイマを停止し（ステップ５２８）、移動電話機５０からの下りシリアル信号「着信表示（オフ）」の受信か（ステップ５３０）、ユーザの入力装置３に対するオフフック操作の発生（ステップ５３２）を待ち、いずれかが発生したならばステップ５０２に戻る。
【００５３】
一方、移動電話機５０からの下りシリアル信号「トーン種別（着信音）」の受信か（ステップ５１４）、着信音検出部１６の受信音声の検出（ステップ５１７）が発生する前に、タイマのタイムアウトが発生したならば（ステップ５１８）、音声生成部１３に、所定の着信音を生成させると共に、混合部１５に音声生成部１３が生成した着信音のスピーカ６への出力を行わせる（ステップ５２０）。そして、移動電話機５０からの下りシリアル信号「着信表示（オフ）」の受信か（ステップ５２２）、ユーザの入力装置３に対するオフフック操作の発生（ステップ５２４）を待ち、いずれかが発生したならば、音声生成部１３の着信音を生成と混合部１５の着信音の出力とを停止し（ステップ５２６）、ステップ５０２に戻る。
【００５４】
以上、第２の実施形態について説明した。
このように、本第２実施形態によれば、機種情報をハンズフリー処理装置１が取得可能な移動電話機５０については、機種毎の移動電話機５０の着信から着信音出力までの期間に応じて監視期間を設定することができる。したがって、着信から着信音出力までの期間が長い移動電話機５０についても確実にその着信音出力の有無のモードを検知することができると共に、着信から着信音出力までの期間が短い移動電話機５０については、着信後、すみやかに、着信音をハンズフリー処理装置１から出力することができるようになる。
【００５５】
ところで、以上の各実施形態におけるハンズフリー処理装置１と移動電話機５０との接続の形態は、図６に示すように、ハンズフリー処理装置１に、Bluetooth（登録商標）やIEEE 802.11シリーズやIrDaなどの近距離無線通信用の無線通信インタフェース１７を設け、同様の無線通信インタフェースを備えた移動電話機５０と、近距離無線通信によって上り／下りシリアル信号や送信／受信音声信号などの各種信号を送受する形態とするようにしてもよい。
【００５６】
また、図６に示すように、着信音検出部１６に代えて、マイクロフォン５から入力する音声信号に基づいて、移動電話機５０の着信音の移動電話機５０の内蔵スピーカからの出力を検出する外部着信音検出部１６１８を設け、前記着信音制御処理において、移動電話機５０からの下りシリアル信号「トーン種別（着信音）」の受信と着信音検出部１６の受信音声の検出（ステップ３０６、３０８）に代えて、外部着信音検出部１６１８における移動電話機５０の着信音の移動電話機５０の内蔵スピーカからの出力の検出を判定するようにしてもよい。すなわち、第１実施形態の着信音制御処理においては、タイマをスタート（ステップ３０４）した後、タイマがタイムアウトする前に、外部着信音検出部１６１８が着信音を検出したならばステップ３２０に進み、外部着信音検出部１６１８が着信音を検出する前にタイマがタイムアウトしたならば（ステップ３１０）、ステップ３１２に進むようにする。また、第２実施形態の着信音制御処理においては、タイマをスタート（ステップ５１２）した後、タイマがタイムアウトする前に、外部着信音検出部１６１８が着信音を検出したならばステップ５２８に進み、外部着信音検出部１６１８が着信音を検出する前にタイマがタイムアウトしたならば（ステップ５１８）、ステップ５２０に進むようにする。
【００５７】
また、以上の実施形態は、図６に示すように、移動電話機５０の送受信周波数帯の電界強度を検出する電界強度センサ７を設け、下りシリアル信号「着信表示（オン）の受信に応じて移動電話機５０の着信の有無を判定する代わりに、電界強度センサ７の検出した電界強度パターン（たとえば、所定周期の強電界の一定期間以上の継続）に応じて移動電話機５０の着信の判定を行うようにしてもよい。
【００５８】
また、以上の実施形態において、制御部１２は、ハンズフリー処理装置１における着信音の生成出力に代えて、または、ハンズフリー処理装置１における着信音の生成出力と共に、表示装置４に移動電話機５０の着信をユーザに通知するための所定の行事を行うようにしてもよい。また、この場合において、制御部１２は移動電話機５０の着信音の出力が検出された場合にも、表示装置４に移動電話機５０の着信をユーザに通知するための所定の表示を行うようにしてもよい。ただし、移動電話機５０の着信音の出力が検出されなかった場合の表示の形態は、移動電話機５０の着信音の出力が検出された場合の表示の形態よりも、より強く着信をユーザに伝える形態とする。たとえば、移動電話機５０の着信音の出力が検出されなかった場合の表示の形態は、表示装置４の全面の点滅などとし、移動電話機５０の着信音の出力が検出された場合の表示の形態は、着信中を表す図形の点滅表示などとする。
【００５９】
以下、本発明の第３の実施形態について説明する。
本第３実施形態では、ハンズフリー装置が対象とする移動電話機５０は、所定の上りシリアル信号によって、外部よりリモートで鳴動モードの設定（振動モードの解除）を行える移動電話機５０である。
そして、本第３実施形態は、前記第１実施形態に係るハンズフリー処理装置１において前述した着信音制御処理を行わずに、図７に示す移動電話機設定処理を制御部１２において行うものである。
図示するように移動電話機設定処理では、まず、クレイドル２への移動電話機５０の装着を待つ（ステップ７０２）。そして、移動電話機５０が装着されたならば、上りシリアル信号「ハンズフリー通知（オン）」を移動電話機５０に送信する（ステップ７０４）。そして、その応答として下りシリアル信号「ハンズフリー確認（オン）」を受信したならば（ステップ７０６）、上りシリアル信号によって移動電話機５０を鳴動モードに設定する（ステップ７０８）。
【００６０】
ここで、移動電話機５０は、上りシリアル信号「ハンズフリー通知（オン）」を受信すると、受信音声信号や送信音声信号の入出力を開始し、下りシリアル信号「ハンズフリー確認（オン）」を送信する。
次に、制御部１２は、移動電話機５０のクレイドル２からの抜去を監視し（ステップ７１０）、移動電話機５０がクレイドル２から抜去されたならば、音声生成部１３に、移動電話機５０が振動モードにないことの注意を喚起する音声メッセージ、たとえば、「移動電話機５０は現在マナーモードに設定されていません。マナーモードの設定は移動電話機５０で行ってください」というような音声を生成させると共に、混合部１５に音声生成部１３が生成した音声メッセージのスピーカ６への出力を行わせる（ステップ７１２）。
【００６１】
そして、ステップ７０２からの処理に戻る。
以上、本発明の第３の実施形態について説明した。
このように本第３実施形態によれば、鳴動モードをハンズフリー処理装置１から設定可能な移動電話機５０については、ハンズフリー装置への接続前に、移動電話機５０が振動モードに設定されていても、ハンズフリー装置に接続されている期間中は、移動電話機５０を鳴動モードに設定し、移動電話機５０の内蔵スピーカから着信音を出力させることができる。また、ハンズフリー装置接続前に移動電話機５０が振動モードにあった場合に、ハンズフリー装置から移動電話機５０を取り外した後に、ユーザが移動電話機５０を元の振動モードに戻すことを忘れてしまうことを抑制することができる。
【００６２】
次に、第４の実施形態について説明する。
本第４実施形態において、ハンズフリー装置が対象とする移動電話機５０は、所定の上りシリアル信号によって、外部よりリモートで鳴動モードの設定や振動モードの設定を行え、かつ、また、下りシリアル信号によって自身の鳴動モード／振動モードの設定状態をハンズフリー処理装置１に通知する機能を備えた移動電話機５０である。
【００６３】
また、本第４実施形態において、ハンズフリー処理装置１と移動電話機５０は、図６に示すように無線通信インタフェース１７を備え、近距離無線通信によって上り／下りシリアル信号や送信／受信音声信号などの各種信号を送受する。
また、ハンズフリー処理装置１は、移動電話機５０がクレイドル２に装着されている場合にのみ、ハンズフリー通話の機能を移動電話機５０に提供する。
そして、本第４実施形態は、前記第１実施形態に係るハンズフリー処理装置１において前述した着信音制御処理を行わずに、図８に示す移動電話機設定処理を制御部１２において行うものである。
図示するように移動電話機設定処理では、まず、クレイドル２への移動電話機５０の装着を待つ（ステップ８０２）。ここで、移動電話機５０のクレイドル２への装着や抜去は、図６に示すようにクレイドル２に移動電話機５０の装着／抜去に応じてオン／オフするメカニカルなスイッチ２１を設けることにより検出する。
【００６４】
そして、移動電話機５０が装着されたならば、上りシリアル信号「ハンズフリー通知（オン）」を移動電話機５０に送信する（ステップ８０４）。そして、その応答として下りシリアル信号「ハンズフリー確認（オン）」を受信したならば（ステップ８０６）、上りシリアル信号によって、移動電話機５０の鳴動モード／振動モードの設定の情報の問い合わせを行い、下りシリアル信号によって移動電話機５０から移動電話機５０の鳴動モード／振動モードの設定状態を取得する（ステップ８０８）。
【００６５】
そして、移動電話機５０の設定状態が鳴動モードであるかどうかを調べ（ステップ８１０）、鳴動モードであれば、移動電話機５０のクレイドル２からの抜去を監視し（ステップ８２２）、移動電話機５０がクレイドル２から抜去されたならば、上りシリアル信号「ハンズフリー通知（オフ）」を送信し（ステップ８１８）、その応答として下りシリアル信号「ハンズフリー確認（オフ）」を受信したならば（ステップ８２０）、ステップ８０２からの処理に戻る。ここで、移動電話機５０は、上りシリアル信号「ハンズフリー通知（オフ）」を受信すると、受信音声信号や送信音声信号の入出力を停止し、下りシリアル信号「ハンズフリー確認（オフ）」を送信する。
【００６６】
一方、移動電話機５０の設定状態が振動モードである場合には（ステップ８１０）、上りシリアル信号によって移動電話機５０を鳴動モードに設定する（ステップ８１２）。以降、制御部１２は、移動電話機５０のクレイドル２からの抜去を監視し（ステップ８１４）、移動電話機５０がクレイドル２から抜去されたならば、上りシリアル信号によって移動電話機５０を振動モードに設定する（ステップ８１６）。そして、上りシリアル信号「ハンズフリー通知（オフ）」を送信し（ステップ８１８）、その応答として下りシリアル信号「ハンズフリー確認（オフ）」を受信したならば（ステップ８２０）、ステップ８０２からの処理に戻る。
【００６７】
以上、第４の実施形態について説明した。
なお、本第４実施形態では、移動電話機５０とハンズフリー処理装置１との信号の接続を近距離無線通信を用いて行ったが、これは図１に示すように移動電話機５０とハンズフリー処理装置１との信号の接続を有線接続によって行うようにしてもよい。ただし、この場合には、クレイドル２から移動電話機５０が完全に抜去されると、ハンズフリー処理装置１と移動電話機５０間の信号の接続が断たれ、ハンズフリー処理装置１から上りシリアル信号によって移動電話機５０の振動モードの設定を行うことができなくなる。そこで、この場合には、クレイドル２から移動電話機５０が完全に抜去される前に、ユーザの移動電話の抜去操作の開始を検出するセンサやスイッチを設け、ユーザの移動電話の抜去操作の開始を検出した時点で、ハンズフリー処理装置１から移動電話機５０の振動モードの設定を行うようにする。このようなユーザの移動電話の抜去操作の開始の検出は、たとえば、クレイドル２からの移動電話機５０の抜去が、たとえば、ロック解除、抜き取りなどの二段階の操作で完了するようにクレイドル２を構成すると共に、最初の操作を抜去操作の開始として検出するようにすれば良い。
【００６８】
以上のように、本第４実施形態によれば、移動電話機５０の振動モード／鳴動モードの設定状態をハンズフリー処理装置１から取得可能、かつ、移動電話機５０の振動モード／鳴動モードをハンズフリー処理装置１から設定可能な移動電話機５０については、移動電話機５０がハンズフリー装置に接続されている期間中は、鳴動モードに設定しつつ、ハンズフリー装置に対する移動電話機５０の接続が解除されるときには、接続前の動作モードに移動電話機５０の動作モードを復帰させることができる。
【図面の簡単な説明】
【００６９】
【図１】本発明の第１実施形態に係るハンズフリー装置の構成を示すブロック図である。
【図２】ハンズフリー処理装置と移動電話機間で送受する信号の一覧図である。
【図３】本発明の第１実施形態に係る着信音制御処理を示すフローチャートである。
【図４】本発明の第１実施形態に係る着信音制御処理の動作例を示すシーケンス図である。
【図５】本発明の第２実施形態に係る着信音制御処理を示すフローチャートである。
【図６】本発明の実施形態に係るハンズフリー装置の他の構成例を示すブロック図である。
【図７】本発明の第３実施形態に係る移動電話機設定処理を示すフローチャートである。
【図８】本発明の第４実施形態に係る移動電話機設定処理を示すフローチャートである。
【符号の説明】
【００７０】
１…ハンズフリー処理装置、２…クレイドル、３…入力装置、４…表示装置、５…マイクロフォン、６…スピーカ、７…電界強度センサ、１１…移動電話機インタフェース、１２…制御部、１３…音声生成部、１４…音声処理部、１５…混合部、１６…着信音検出部、１７…無線通信インタフェース、１８…外部着信音検出部１６、５０…移動電話機、１４１…エコーキャンセラ、１４２…出力音声調整部。
【図２】
2005354254.tif 000003
【図３】
2005354254.tif 000004
【図４】
2005354254.tif 000005
【図５】
2005354254.tif 000006
【図７】
2005354254.tif 000007
【図８】
2005354254.tif 000008
【図１】
2005354254.tif 000009
【図６】
2005354254.tif 000010